(57)【要約】【課題】本発明は、ユーザーによって選択された画像特性に適合した画像の見え方を再現可能な環境適応型の画像表示システム、画像処理方法および情報記憶媒体を提供すること。【解決手段】ユーザーの好みに応じた画像の色を再現可能な環境適応型の画像表示システム、画像処理方法および情報記憶媒体を提供するために、ユーザーによって選択されたターゲットプロファイル記憶部１６２内のターゲットプロファイル、プロジェクタプロファイル記憶部１６４内のプロジェクタプロファイル、視環境を把握する色光センサー６０からの視環境情報に基づき、色変換ＬＵＴ作成部１６０を用いてＬＵＴ記憶部１２２内のルックアップテーブルを補正し、当該ルックアップテーブルを用いて画像を表示する。【選択図】図３
2008268967.tif 000002
【特許請求の範囲】
【請求項１】
画像の被表示領域における視環境を把握する視環境把握手段による視環境情報に基づき、前記画像を表示するために用いられる画像表示用情報を補正して画像を表示する画像表示システムにおいて、
前記視環境情報と、ユーザーによって選択された画像特性と、に基づき、当該画像特性に適合した画像が表示されるように、前記画像表示用情報を補正する補正手段と、
補正された画像表示用情報に基づき、画像を表示する画像表示手段と、
を含むことを特徴とする環境適応型の画像表示システム。
【請求項２】
請求項１において、
前記画像特性は、画像表示方式および画像種別の少なくとも一方に基づくものであることを特徴とする画像表示システム。
【請求項３】
請求項２において、
前記補正手段と、
前記画像表示手段と、
校正用画像を生成する手段と、
を有する投写型表示装置を含み、
前記画像表示手段は、生成された校正用画像を前記被表示領域に投写表示し、
前記視環境把握手段は、前記校正用画像の表示された被表示領域における視環境を把握することを特徴とする画像表示システム。
【請求項４】
請求項３において、
前記画像表示用情報は、ルックアップテーブルを含むことを特徴とする画像表示システム。
【請求項５】
請求項３において、
前記画像表示用情報は、色補正用ルックアップテーブルと、明るさ補正用ルックアップテーブルとを含み、
前記補正手段は、前記視環境情報と、前記画像特性とに基づき、前記色補正用ルックアップテーブルおよび前記明るさ補正用ルックアップテーブルを個別に補正することを特徴とする画像表示システム。
【請求項６】
画像の被表示領域における視環境を把握する視環境把握手段による視環境情報に基づき、前記画像を表示するために用いられる画像表示用情報を補正して画像を表示する画像表示システムにおいて、
前記視環境情報と、ユーザーによって選択された画像特性と、に基づき、当該画像特性に適合した画像が表示されるように、前記画像表示用情報を補正する補正部と、
補正された画像表示用情報に基づき、画像を表示する画像表示部と、
を含むことを特徴とする環境適応型の画像表示システム。
【請求項７】
画像の被表示領域における視環境を示す視環境情報に基づき、前記画像を表示するために用いられる画像表示用情報を補正するための画像処理方法において、
所定の画像特性の選択をユーザーに促す工程と、
前記視環境情報と、ユーザーによって選択された画像特性と、に基づき、当該画像特性に適合した画像が表示されるように、前記画像表示用情報を補正する補正工程と、
を含むことを特徴とする環境適応型の画像処理方法。
【請求項８】
請求項７において、
前記画像特性は、画像表示方式および画像種別の少なくとも一方に基づくものであることを特徴とする画像処理方法。
【請求項９】
請求項８において、
前記画像情報の補正に先立って、校正用画像を生成する工程と、
生成された校正用画像を前記被表示領域に表示する工程と、
前記校正用画像の表示された被表示領域における視環境を把握し、前記視環境情報を生成する工程と、
を含むことを特徴とする画像処理方法。
【請求項１０】
請求項９において、
前記画像表示用情報は、ルックアップテーブルを含むことを特徴とする画像処理方法。
【請求項１１】
請求項９において、
前記画像表示用情報は、色補正用ルックアップテーブルと、明るさ補正用ルックアップテーブルとを含み、
前記補正工程は、
前記視環境情報と、前記画像特性とに基づき、前記色補正用ルックアップテーブルを補正する工程と、
前記視環境情報と、前記画像特性とに基づき、前記明るさ補正用ルックアップテーブルを補正する工程と、
を含むことを特徴とする画像処理方法。
【請求項１２】
画像の被表示領域における視環境を把握する視環境把握手段による視環境情報に基づき、前記画像を表示するために用いられる画像表示用情報を補正して画像を表示するためのプログラムを記憶したコンピュータ読み取り可能な情報記憶媒体において、
前記視環境情報と、ユーザーによって選択された画像特性と、に基づき、当該画像特性に適合した画像が表示されるように、前記画像表示用情報を補正する補正手段と、
補正された画像表示用情報に基づき、画像表示手段に画像を表示させる手段としてコンピュータを機能させるためのプログラムを記憶したことを特徴とする情報記憶媒体。
【請求項１３】
請求項１２において、
前記画像特性は、画像表示方式および画像種別の少なくとも一方に基づくものであることを特徴とする情報記憶媒体。
【請求項１４】
請求項１３において、
校正用画像を生成する手段としてコンピュータを機能させるためのプログラムを記憶し、
前記画像を表示させる手段は、生成された校正用画像を前記画像表示手段に前記被表示領域に表示させ、
前記視環境把握手段は、前記校正用画像の表示された被表示領域における視環境を把握することを特徴とする情報記憶媒体。
【請求項１５】
請求項１４において、
前記画像表示用情報は、ルックアップテーブルを含むことを特徴とする情報記憶媒体。
【請求項１６】
請求項１４において、
前記画像表示用情報は、色補正用ルックアップテーブルと、明るさ補正用ルックアップテーブルとを含み、
前記補正手段は、前記視環境情報と、前記画像特性とに基づき、前記色補正用ルックアップテーブルおよび前記明るさ補正用ルックアップテーブルを個別に補正することを特徴とする情報記憶媒体。
【発明の詳細な説明】
【技術分野】
【０００１】
本発明は、環境適応型の画像表示システム、画像処理方法および情報記憶媒体に関する。
【背景技術】
【０００２】
環境光等の影響を受ける視環境を把握し、視環境を考慮して画像の補正を行う環境適応型の画像表示システムが提案されている。
【０００３】
しかし、実際の望ましい画像の見え方は、個人や地域によって異なる場合がある。
【０００４】
例えば、日本における画像の標準的な表示方式はＮＴＳＣであるが、ヨーロッパにおける画像の標準的な表示方式はＰＡＬである。
【０００５】
したがって、例えば、日本でＮＴＳＣを前提として生成した画像をヨーロッパでヨーロッパ人向けに表示した場合、ヨーロッパ人が望ましいと考えている画像の見え方と異なる事態も発生しうる。
【発明の開示】
【発明が解決しようとする課題】
【０００６】
本発明は、上記の課題に鑑みなされたものであり、その目的は、ユーザーによって選択された画像特性に適合した画像の見え方を再現可能な環境適応型の画像表示システム、画像処理方法および情報記憶媒体を提供することにある。
【課題を解決するための手段】
【０００７】
上記課題を解決するため、本発明に係る環境適応型の画像表示システムは、画像の被表示領域における視環境を把握する視環境把握手段による視環境情報に基づき、前記画像を表示するために用いられる画像表示用情報を補正して画像を表示する画像表示システムにおいて、
前記視環境情報と、ユーザーによって選択された画像特性と、に基づき、当該画像特性に適合した画像が表示されるように、前記画像表示用情報を補正する補正手段と、
補正された画像表示用情報に基づき、画像を表示する画像表示手段と、
を含むことを特徴とする。
【０００８】
本発明に係る環境適応型の画像表示システムは、画像の被表示領域における視環境を把握する視環境把握手段による視環境情報に基づき、前記画像を表示するために用いられる画像表示用情報を補正して画像を表示する画像表示システムにおいて、
前記視環境情報と、ユーザーによって選択された画像特性と、に基づき、当該画像特性に適合した画像が表示されるように、前記画像表示用情報を補正する補正部と、
補正された画像表示用情報に基づき、画像を表示する画像表示部と、
を含むことを特徴とする。
【０００９】
また、本発明に係る環境適応型の画像処理方法は、画像の被表示領域における視環境を示す視環境情報に基づき、前記画像を表示するために用いられる画像表示用情報を補正するための画像処理方法において、
所定の画像特性の選択をユーザーに促す工程と、
前記視環境情報と、ユーザーによって選択された画像特性と、に基づき、当該画像特性に適合した画像が表示されるように、前記画像表示用情報を補正する補正工程と、
を含むことを特徴とする。
【００１０】
また、本発明に係る情報記憶媒体は、画像の被表示領域における視環境を把握する視環境把握手段による視環境情報に基づき、前記画像を表示するために用いられる画像表示用情報を補正して画像を表示するためのプログラムを記憶したコンピュータ読み取り可能な情報記憶媒体において、
前記視環境情報と、ユーザーによって選択された画像特性と、に基づき、当該画像特性に適合した画像が表示されるように、前記画像表示用情報を補正する補正手段と、
補正された画像表示用情報に基づき、画像表示手段に画像を表示させる手段としてコンピュータを機能させるためのプログラムを記憶したことを特徴とする。
【００１１】
本発明によれば、ユーザーによって選択された画像特性に適合した画像が表示されるように、画像情報を補正することにより、ユーザーの好みに合った画像を表示することができる。
【００１２】
また、前記画像表示システムは、前記補正手段と、
前記画像表示手段と、
校正用画像を生成する手段と、
を有する投写型表示装置を含み、
前記画像表示手段は、生成された校正用画像を前記被表示領域に投写表示し、
前記視環境把握手段は、前記校正用画像の表示された被表示領域における視環境を把握してもよい。
【００１３】
これによれば、校正用画像を投写型表示装置の内部で生成するため、ＰＣ等の外部入力装置から校正用画像を投写型表示装置に入力することなく、投写型表示装置単体でキャリブレーション（校正）を行うことができる。
【００１４】
また、前記画像処理方法は、前記画像情報の補正に先立って、校正用画像を生成する工程と、
生成された校正用画像を前記被表示領域に表示する工程と、
前記校正用画像の表示された被表示領域における視環境を把握し、前記視環境情報を生成する工程と、
を含んでもよい。
【００１５】
また、前記情報記憶媒体は、校正用画像を生成する手段としてコンピュータを機能させるためのプログラムを記憶し、
前記画像を表示させる手段は、生成された校正用画像を前記画像表示手段に前記被表示領域に表示させ、
前記視環境把握手段は、前記校正用画像の表示された被表示領域における視環境を把握してもよい。
【００１６】
これによれば、校正用画像を用いて、視環境の把握を行うことにより、より適切に視環境を把握することができる。したがって、画像の見え方をより適切に再現することができる。
【００１７】
また、前記画像表示システム、前記画像処理方法および前記情報記憶媒体において、前記画像特性は、画像表示方式および画像種別の少なくとも一方に基づくものであってもよい。
【００１８】
これによれば、ユーザーによって選択された画像表示方式や、画像種別を反映した画像を表示することができる。
【００１９】
なお、ここで、画像表示方式としては、例えば、ＮＴＳＣ、ＰＡＬ、ＳＥＣＡＭ等が該当する。
【００２０】
また、画像種別としては、例えば、ＲＧＢ、ｓＲＧＢ等が該当する。
【００２１】
また、前記画像表示システム、前記画像処理方法および前記情報記憶媒体において、前記画像表示用情報は、ルックアップテーブルを含んでもよい。
【００２２】
これによれば、ルックアップテーブルを補正することにより、表示される画像の色の見え方を調整することができる。
【００２３】
また、前記画像表示システムおよび前記情報記憶媒体において、
前記画像表示用情報は、色補正用ルックアップテーブルと、明るさ補正用ルックアップテーブルとを含み、
前記補正手段は、前記視環境情報と、前記画像特性とに基づき、前記色補正用ルックアップテーブルおよび前記明るさ補正用ルックアップテーブルを個別に補正してもよい。
【００２４】
また、前記画像処理方法において、
前記画像表示用情報は、色補正用ルックアップテーブルと、明るさ補正用ルックアップテーブルとを含み、
前記補正工程は、
前記視環境情報と、前記画像特性とに基づき、前記色補正用ルックアップテーブルを補正する工程と、
前記視環境情報と、前記画像特性とに基づき、前記明るさ補正用ルックアップテーブルを補正する工程と、
を含んでもよい。
【００２５】
これによれば、色補正用のルックアップテーブルと、明るさ補正用のルックアップテーブルを個別に補正することにより、より適切な色の再現を行うことができる。
【発明を実施するための最良の形態】
【００２６】
以下、本発明を、液晶プロジェクタを用いた画像表示システムに適用した場合を例に採り、図面を参照しつつ説明する。なお、以下に示す実施形態は、特許請求の範囲に記載された発明の内容を何ら限定するものではない。また、以下の実施形態に示す構成の全てが、特許請求の範囲に記載された発明の解決手段として必須であるとは限らない。
【００２７】
（システム全体の説明）
図１は、本実施の形態の一例に係る画像表示システムの概略説明図である。
【００２８】
スクリーン１０のほぼ正面に設けられた投写型表示装置の一種であるプロジェクタ２０は、所定のプレゼンテーション用の画像を投写する。プレゼンター３０は、スクリーン１０上の被表示領域である画像表示領域１２の画像の所望の位置をレーザーポインタ５０から投射したスポット光７０で指し示しながら、第三者に対するプレゼンテーションを行う。
【００２９】
このようなプレゼンテーションが行われる場合、スクリーン１０の種別や、環境光８０によって画像表示領域１２の画像の見え方は大きく異なってしまう。例えば、プロジェクタ２０が、同じ白を表示する場合であっても、スクリーン１０の種別によっては、黄色がかった白に見えたり、青色がかった白に見えたりする。また、プロジェクタ２０が、同じ白を表示する場合であっても、環境光８０が異なれば、明るい白に見えたり、暗い白に見えたりする。
【００３０】
また、近年、プロジェクタ２０は小型化が進み、持ち運びも容易になっている。このため、例えば、プレゼンター３０が、客先においてプレゼンテーションを行う場合もあり得るが、客先の環境に合わせて色を事前に調整することは困難であり、客先で色を手動で調整するには時間がかかりすぎる。
【００３１】
図２は、従来のプロジェクタ内の画像処理部の機能ブロック図である。
【００３２】
従来のプロジェクタでは、ＰＣ等から送られるアナログ形式のＲＧＢ信号を構成するＲ１信号、Ｇ１信号、Ｂ１信号をＡ／Ｄ変換部１１０に入力し、デジタル形式のＲ２信号、Ｇ２信号、Ｂ２信号をプロジェクタ画像処理部１００で色変換を行っている。
【００３３】
そして、従来のプロジェクタは、色変換されたＲ３信号、Ｇ３信号、Ｂ３信号をＤ／Ａ変換部１８０に入力し、アナログ変換されたＲ４信号、Ｇ４信号、Ｂ４信号をＬ／Ｖ（ライトバルブ）駆動部１９０に入力し、液晶ライトバルブを駆動して画像の投写表示を行っている。
【００３４】
また、ＣＰＵ２００によって制御されるプロジェクタ画像処理部１００は、プロジェクタ色変換部１２０と、プロファイル管理部１３０とを含んで構成されている。
【００３５】
プロジェクタ色変換部１２０は、Ａ／Ｄ変換部１１０からのＲＧＢの各デジタル信号（Ｒ２信号、Ｇ２信号、Ｂ２信号）を、プロファイル管理部１３０で管理されているプロジェクタの入出力用プロファイルに基づき、プロジェクタ出力用のＲＧＢデジタル信号（Ｒ３信号、Ｇ３信号、Ｂ３信号）に変換する。なお、ここで、プロファイルとは、特性データという意味である。
【００３６】
このように、従来のプロジェクタでは、プロジェクタ固有の入出力特性を示す入出力用プロファイルに基づき、色の変換を行っているだけであり、画像の投写表示される視環境は考慮されていない。
【００３７】
しかし、上述したように、視環境を考慮しなければ、画像の色の見え方を統一することは困難である。色の見え方は、光、対象の光の反射または透過、視覚の３つの要因で決定する。
【００３８】
本実施の形態では、光および対象の光の反射または透過を反映した視環境を把握することにより、適切な色を再現できる画像表示システムを実現している。
【００３９】
ところで、適切な色を再現することを目的とする場合、ユーザーや、色を再現する地域によって適切な色が異なる場合がある。
【００４０】
例えば、日本でプロジェクタ２０を使用する場合、ユーザーはＮＴＳＣ方式で画像の色を再現することを望むものと考えられるが、ヨーロッパでプロジェクタ２０を使用する場合、ユーザーはＰＡＬ方式で画像の色を再現することを望むものと考えられる。
【００４１】
このような場合、プロジェクタ２０が用いられる地域によらずに、ユーザーが望む画像の色を再現することが必要である。
【００４２】
本実施の形態では、ユーザーの画像表示方式等の選択に基づいて画像の色を調整できるようにプロジェクタ２０を構成している。
【００４３】
具体的には、図１に示すように、視環境を把握する視環境把握手段として機能する色光センサー６０を設け、色光センサー６０からの視環境情報をプロジェクタ２０に入力する。色光センサー６０は、具体的には、スクリーン１０内の画像表示領域１２の視環境情報（より具体的にはＲＧＢまたはＸＹＺの三刺激値）を計測する。
【００４４】
プロジェクタ２０には、色光センサー６０からの視環境情報、ユーザーの画像表示方式等の選択情報等に基づき、画像表示に用いられる画像表示用情報を補正する補正手段が設けられている。
【００４５】
本実施の形態では、視環境情報に基づいて視環境を把握し、選択情報に基づいてユーザーの好みを把握することにより、ユーザーの好みに適合した、適切な画像の色を再現できる画像表示システムを実現している。
【００４６】
次に、これらの補正手段等を含むプロジェクタ２０の画像処理部の機能ブロックについて説明する。
【００４７】
図３は、本実施形態の一例に係るプロジェクタ２０内の画像処理部の機能ブロック図である。
【００４８】
プロジェクタ２０では、ＰＣ等から送られるアナログ形式のＲＧＢ信号を構成するＲ１信号、Ｇ１信号、Ｂ１信号をＡ／Ｄ変換部１１０に入力し、デジタル形式のＲ２信号、Ｇ２信号、Ｂ２信号を、ＣＰＵ２００によって制御されるプロジェクタ画像処理部１００で色変換を行っている。
【００４９】
そして、プロジェクタ２０は、色変換されたＲ３信号、Ｇ３信号、Ｂ３信号をＤ／Ａ変換部１８０に入力し、アナログ変換されたＲ４信号、Ｇ４信号、Ｂ４信号を、画像表示手段の一部であるＬ／Ｖ（ライトバルブ）駆動部１９０に入力し、液晶ライトバルブを駆動して画像の投写表示を行っている。
【００５０】
ここまでは、従来のプロジェクタと構成の差異はない。本実施の形態に係るプロジェクタ２０のプロジェクタ画像処理部１００は、プロジェクタ色変換部１２０と、ターゲットプロファイル記憶部１６２と、プロジェクタプロファイル記憶部１６４（プロファイル管理部１３０に相当）と、色変換ＬＵＴ作成部１６０と、ＬＵＴ記憶部１２２と、キャリブレーション信号発生部１５０とを含んで構成されている。
【００５１】
キャリブレーション信号発生部１５０は、キャリブレーション（校正用）画像信号を生成する。このキャリブレーション画像信号は、Ａ／Ｄ変換部１１０から出力される信号と同様に、デジタル形式のＲ２信号、Ｇ２信号、Ｂ２信号としてプロジェクタ色変換部１２０に入力される。
【００５２】
プロジェクタ色変換部１２０は、キャリブレーション信号発生部１５０からのＲＧＢの各デジタル信号（Ｒ２信号、Ｇ２信号、Ｂ２信号）を、プロジェクタプロファイル記憶部１６４が管理しているプロジェクタプロファイルを参照し、プロジェクタ出力に適したＲＧＢデジタル信号（Ｒ３信号、Ｇ３信号、Ｂ３信号）に変換する。
【００５３】
また、プロジェクタ色変換部１２０は、画像表示用情報の一部であるＬＵＴ（ルックアップテーブル）を記憶しているＬＵＴ記憶部１２２を含んで構成されている。
【００５４】
より具体的には、ＬＵＴ記憶部１２２は、明るさ補正に用いる１次元ルックアップテーブル（１Ｄ−ＬＵＴ）と、色補正に用いる３次元ルックアップテーブル（３Ｄ−ＬＵＴ）とを記憶している。
【００５５】
また、１Ｄ−ＬＵＴは、ガンマテーブルおよびカラーバランステーブルを含み、３Ｄ−ＬＵＴは、色域補正テーブルおよび色温度補正テーブルを含む。
【００５６】
色補正に３Ｄ−ＬＵＴを用いることにより、１Ｄ−ＬＵＴでは困難な色の領域ごとに異なる色圧縮、色伸長等を制御することが可能となり、正確な色の再現を行うことができる。このように、明るさ補正用の１Ｄ−ＬＵＴと色補正用の３Ｄ−ＬＵＴとを独立して管理することにより、より適切な色の再現を行うことができる。
【００５７】
さらに、本実施の形態では、色光センサー６０からの視環境情報等に基づき、ＬＵＴ記憶部１２２のＬＵＴを補正する色変換ＬＵＴ作成部１６０をプロジェクタ画像処理部１００に設けている。
【００５８】
また、色変換ＬＵＴ作成部１６０は、ターゲットプロファイル記憶部１６２と、プロジェクタプロファイル記憶部１６４とを含んで構成されている。より具体的には、色変換ＬＵＴ作成部１６０は、ユーザーによって選択されたターゲットプロファイル、色光センサー６０からの視環境情報、プロジェクタプロファイルに基づき、ユーザーが選択した好みの色であって、かつ、視環境に適合した画像の色の見え方になるように、ＬＵＴ記憶部１２２のＬＵＴを補正する。
【００５９】
なお、ここで、ターゲットプロファイルとは、目標とすべき色の入出力特性データの一種である。ターゲットプロファイルとして、ユーザーが選択可能な複数種の画像特性に対応して複数種のプロファイルが設けられる。
【００６０】
より具体的には、ターゲットプロファイルとは、例えば、ＲＧＢ輝度信号と、当該ＲＧＢ輝度信号と対応付けられた三刺激値（Ｘ、Ｙ、Ｚ）を示すデータである。つまり、ターゲットプロファイルでは、ＲＧＢ輝度信号と三刺激値（Ｘ、Ｙ、Ｚ）との間の対応付けが定義されている。本実施の形態では、ターゲットプロファイル記憶部１６２は、ターゲットプロファイルを記憶したメモリを用いて実現されている。
【００６１】
また、プロジェクタプロファイルとは、プロジェクタ２０の機種に対応した入出力特性データの一種である。
【００６２】
より具体的には、プロジェクタプロファイルとは、例えば、ＲＧＢ輝度信号と、理想環境下でプロジェクタ２０が当該ＲＧＢ輝度信号を実際に表示した場合に得られる三刺激値（Ｘ、Ｙ、Ｚ）との関係が定義されたデータである。本実施の形態では、プロジェクタプロファイル記憶部１６４は、プロジェクタプロファイルを記憶したメモリを用いて実現されている。
【００６３】
以上のようにして、各階調ごとにＬＵＴが補正され、実際のプレゼンテーション画像が表示される場合には、ユーザーの好みと視環境に適合した適切な補正がされたプレゼンテーション画像が表示される。
【００６４】
（処理の流れの説明）
次に、これら各部を用いた画像処理の流れについてフローチャートを用いて説明する。
【００６５】
図４は、本実施形態の一例に係る画像処理の手順を示すフローチャートである。
【００６６】
まず、プレゼンテーションが行われる前にプロジェクタ２０によってターゲットプロファイル選択画像がスクリーン１０に表示される。当該選択画像では、ＮＴＳＣ、ＰＡＬまたはＳＥＣＡＭを選択するための画像が表示される。
【００６７】
プロジェクタ２０のユーザーは、プロジェクタ２０の操作ボタンに割り当てられた複数種の画像特性から１つの画像特性を選択する。具体的には、例えば、プロジェクタ２０の外面にＮＴＳＣ、ＰＡＬ、ＳＥＣＡＭ等の画像特性の選択用ボタンを設け、ユーザーに選択用ボタンを押させ、１つの画像特性を選択させる。
【００６８】
この選択情報は、プロジェクタ画像処理部１００に送信される。プロジェクタ画像処理部１００は、当該選択情報に基づき、ターゲットプロファイル記憶部１６２の複数のターゲットプロファイルから選択されたターゲットプロファイルのフラグをＯＮにする。
【００６９】
このようにして、プロジェクタ画像処理部１００は、ユーザーの選択に応じてターゲットプロファイルを選択する（ステップＳ２）。
【００７０】
ユーザーの選択に応じてターゲットプロファイルが選択された後、プロジェクタ２０は、キャリブレーション信号発生部１５０からキャリブレーション信号（Ｒ２、Ｇ２、Ｂ２）を発生させる。
【００７１】
キャリブレーション信号発生部１５０は、当該キャリブレーション信号をプロジェクタ色変換部１２０に出力する。
【００７２】
プロジェクタ色変換部１２０は、ＬＵＴ記憶部１２２に記憶されたデフォルト（初期状態）のＬＵＴに基づき、キャリブレーション信号を変換し、デジタルＲＧＢ信号（Ｒ３、Ｇ３、Ｂ３）として出力する。
【００７３】
そして、Ｄ／Ａ変換部１８０は、デジタルＲＧＢ信号をアナログＲＧＢ信号（Ｒ４、Ｇ４、Ｂ４）に変換する。そして、Ｌ／Ｖ駆動部１９０は、アナログＲＧＢ信号（Ｒ４、Ｇ４、Ｂ４）に基づき、液晶ライトバルブを駆動する。そして、プロジェクタ２０は、キャリブレーション画像を画像表示領域１２に投写表示する（ステップＳ４）。
【００７４】
画像表示領域１２にキャリブレーション画像が表示された状態で、色光センサー６０は、視環境を把握するために三刺激値の検出を行う（ステップＳ６）。
【００７５】
色変換ＬＵＴ作成部１６０は、ターゲットプロファイル記憶部１６２から選択されたターゲットプロファイル、プロジェクタプロファイル記憶部１６４に記憶されたプロジェクタプロファイルおよび色光センサー６０で検出された三刺激値に基づき、目標とする色を再現できるように、ＬＵＴ記憶部１２２のＬＵＴを補正する（ステップＳ８）。
【００７６】
より具体的には、色変換ＬＵＴ作成部１６０は、ＬＵＴ記憶部１２２に目標とする色の再現に適合した、ガンマ補正テーブル、ホワイトバランス補正テーブル、色域補正テーブルおよび色温度テーブルを作成する。
【００７７】
なお、実際には、キャリブレーション画像表示（ステップＳ２）〜ＬＵＴ補正（ステップＳ８）までの処理は所定の階調単位（例えば、１６階調）に行われる。
【００７８】
このようにして、プロジェクタ２０は、全階調についてキャリブレーション画像を表示し、各階調に対応したＬＵＴを作成する。
【００７９】
そして、各階調に対応したＬＵＴを作成した後、プロジェクタ２０は、実際のプレゼンテーション画像を表示する（ステップＳ１０）。プレゼンテーション画像を表示する際には、プロジェクタ２０は、ＬＵＴ記憶部１２２にユーザーが選択した画像特性（ターゲットプロファイル）に応じ、かつ、視環境を反映した画像を再現できるように調整されたＬＵＴを用いてプレゼンテーション画像を表示する。
【００８０】
以上のように、本実施の形態によれば、ユーザーが選択した画像特性に適合した画像を表示できるように、ＬＵＴを補正する。
【００８１】
これにより、ユーザーの好みに適合した画像を表示できる画像表示システムを実現することができる。
【００８２】
また、本実施の形態では、色光センサー６０を用いて視環境を把握することにより、視環境を考慮して画像を投写表示している。
【００８３】
これにより、画像表示時の視環境に適応して画像を表示することができ、表示環境の差を吸収して適用される環境によらずに同一の画像を表示することができる。したがって、複数の異なる場所において、ほぼ同一の色を短時間で再現することができる。
【００８４】
（ハードウェアの説明）
なお、上述した各部に用いるハードウェアとしては、例えば、以下のものを適用できる。
【００８５】
例えば、Ａ／Ｄ変換部１１０としては、例えばＡ／Ｄコンバーター等、Ｄ／Ａ変換部１８０としては、例えばＤ／Ａコンバーター等、Ｌ／Ｖ駆動部１９０としては液晶ライトバルブ駆動ドライバ等、プロジェクタ色変換部１２０、色変換ＬＵＴ作成部１６０としては、例えば画像処理回路やＡＳＩＣ等、ＬＵＴ記憶部１２２、ターゲットプロファイル記憶部１６２、プロジェクタプロファイル記憶部１６４としてはＲＡＭ等の記憶領域を有する回路等を用いて実現できる。なお、これら各部は回路のようにハードウェア的に実現してもよいし、ドライバのようにソフトウェア的に実現してもよい。
【００８６】
また、図３に示すように、これら各部の機能を情報記憶媒体３００からプログラムを読み取って実現してもよい。情報記憶媒体３００としては、例えば、ＣＤ−ＲＯＭ、ＤＶＤ−ＲＯＭ、ＲＯＭ、ＲＡＭ、ＨＤＤ等を用いて実現でき、その情報の読み取り方式は接触方式であっても、非接触方式であってもよい。
【００８７】
また、情報記憶媒体３００に代えて、上述した各機能を実現するためのプログラム等を伝送路を介してホスト装置等からダウンロードすることによって上述した各機能を実現することも可能である。すなわち、上述した各機能を実現するためのプログラムは、搬送波に具現化されるものであってもよい。
【００８８】
さらに、色光センサー６０については以下のハードウェアを適用できる。
【００８９】
例えば、各刺激値を選択的に透過するカラーフィルターおよびフォトダイオード、フォトダイオードからのアナログ信号をデジタル信号に変換するＡ／Ｄコンバーターおよび当該デジタル信号を増幅するＯＰアンプ等を用いて実現できる。
【００９０】
以上、本発明を適用した好適な実施の形態について説明してきたが、本発明の適用は上述した実施例に限定されない。
【００９１】
（変形例）
例えば、上述したターゲットプロファイルとしては、ＮＴＳＣ等の画像表示方式以外にも、例えば、ＲＧＢ、ｓＲＧＢ等の画像種別等の画像特性を適用してもよい。
【００９２】
また、視環境把握手段としては、色光センサー６０以外にも、例えば、ＣＣＤカメラ、ＣＭＯＳカメラ等の撮像手段を適用することも可能である。
【００９３】
なお、上述したスクリーン１０は、反射型のものであったが、透過型のものであってもよい。
【００９４】
また、上述したプロジェクタのような投写型画像表示装置以外の表示手段で画像表示を行ってプレゼンテーション等を行う場合にも本発明を適用できる。このような表示手段としては、例えば、液晶プロジェクタのほか、ＣＲＴ（Ｃａｔｈｏｄｅ  Ｒａｙ  Ｔｕｂｅ）、ＰＤＰ（Ｐｌａｓｍａ  Ｄｉｓｐｌａｙ  Ｐａｎｅｌ）、ＦＥＤ（Ｆｉｅｌｄ  Ｅｍｉｓｓｉｏｎ  Ｄｉｓｐｌａｙ）、ＥＬ（Ｅｌｅｃｔｒｏ  Ｌｕｍｉｎｅｓｃｅｎｃｅ）、直視型液晶表示装置等のディスプレイ装置、ＤＭＤ（Ｄｉｇｉｔａｌ  Ｍｉｃｒｏｍｉｒｒｏｒ  Ｄｅｖｉｃｅ）を用いたプロジェクタ等が該当する。なお、ＤＭＤは米国テキサスインスツルメンツ社の商標である。また、プロジェクタは前面投写型のものに限られず、背面投写型のものであってもよい。
【００９５】
また、プレゼンテーション以外にも、ミーティング、医療、デザイン・ファッション分野、営業活動、コマーシャル、教育、さらには映画、ＴＶ、ビデオ、ゲーム等の一般映像等における画像表示を行う場合にも本発明は有効である。
【００９６】
なお、上述したプロジェクタ２０のプロジェクタ画像処理部１００の機能は、単体の画像表示装置（例えば、プロジェクタ２０）で実現してもよいし、複数の処理装置で分散して（例えば、プロジェクタ２０とＰＣとで分散処理）実現してもよい。
【図面の簡単な説明】
【００９７】
【図１】図１は、本実施形態の一例に係る画像表示システムの概略説明図である。
【図２】図２は、従来のプロジェクタ内の画像処理部の機能ブロック図である。
【図３】図３は、本実施形態の一例に係るプロジェクタ内の画像処理部の機能ブロック図である。
【図４】図４は、本実施形態の一例に係る画像処理の手順を示すフローチャートである。
【図１】
2008268967.tif 000003
【図２】
2008268967.tif 000004
【図３】
2008268967.tif 000005
【図４】
2008268967.tif 000006
【手続補正書】
【提出日】平成20年8月19日(2008.8.19)
【手続補正１】
【補正対象書類名】特許請求の範囲
【補正対象項目名】全文
【補正方法】変更
【補正の内容】
【特許請求の範囲】
【請求項１】
画像の被表示領域における視環境を把握する視環境把握手段による視環境情報に基づき、前記画像を表示するために用いられる画像表示用情報を補正して画像を表示する画像表示システムにおいて、
前記視環境情報と、ユーザーによって選択された画像特性と、に基づき、当該画像特性に適合した画像が表示されるように、前記画像表示用情報を補正する補正手段と、
補正された画像表示用情報に基づき、画像を表示する画像表示手段と、
校正用画像を生成する手段と、
を有する投写型表示装置を含み、
前記画像表示用情報は、ルックアップテーブルを含み、
前記画像表示手段は、生成された校正用画像を前記被表示領域に投写表示し、
前記視環境把握手段は、前記校正用画像の表示された被表示領域における視環境を把握し、
前記補正手段は、前記視環境情報と、前記画像特性とに基づき、前記ルックアップテーブルを補正することを特徴とする環境適応型の画像表示システム。
【請求項２】
請求項１において、
前記画像特性は、画像表示方式および画像種別の少なくとも一方に基づくものであることを特徴とする画像表示システム。
【請求項３】
請求項１、２のいずれかにおいて、
前記画像表示用情報は、色補正用ルックアップテーブルと、明るさ補正用ルックアップテーブルとを含み、
前記補正手段は、前記視環境情報と、前記画像特性とに基づき、前記色補正用ルックアップテーブルおよび前記明るさ補正用ルックアップテーブルを個別に補正することを特徴とする画像表示システム。
【請求項４】
画像の被表示領域における視環境を示す視環境情報に基づき、前記画像を表示するために用いられる画像表示用情報を補正するための画像処理方法において、
所定の画像特性の選択をユーザーに促す工程と、
校正用画像を生成する工程と、
生成された校正用画像を前記被表示領域に表示する工程と、
前記校正用画像の表示された被表示領域における視環境を把握し、前記視環境情報を生成する工程と、
前記視環境情報と、ユーザーによって選択された画像特性と、に基づき、当該画像特性に適合した画像が表示されるように、前記画像表示用情報を補正する補正工程と、
を含み、
前記画像表示用情報は、ルックアップテーブルを含み、
前記補正工程は、前記視環境情報と、前記画像特性と、に基づき、前記ルックアップテーブルを補正する工程を含むことを特徴とする環境適応型の画像処理方法。
【請求項５】
請求項４において、
前記画像特性は、画像表示方式および画像種別の少なくとも一方に基づくものであることを特徴とする画像処理方法。
【請求項６】
請求項４、５のいずれかにおいて、
前記画像表示用情報は、色補正用ルックアップテーブルと、明るさ補正用ルックアップテーブルとを含み、
前記補正工程は、
前記視環境情報と、前記画像特性とに基づき、前記色補正用ルックアップテーブルを補正する工程と、
前記視環境情報と、前記画像特性とに基づき、前記明るさ補正用ルックアップテーブルを補正する工程と、
を含むことを特徴とする画像処理方法。
【請求項７】
画像の被表示領域における視環境を把握する視環境把握手段による視環境情報に基づき、前記画像を表示するために用いられる画像表示用情報を補正して画像を表示するためのプログラムを記憶したコンピュータ読み取り可能な情報記憶媒体において、
前記視環境情報と、ユーザーによって選択された画像特性と、に基づき、当該画像特性に適合した画像が表示されるように、前記画像表示用情報を補正する補正手段と、
補正された画像表示用情報に基づき、画像表示手段に画像を表示させる手段と、
校正用画像を生成する手段としてコンピュータを機能させるためのプログラムを記憶し、
前記画像表示用情報は、ルックアップテーブルを含み、
前記画像を表示させる手段は、生成された校正用画像を前記画像表示手段に前記被表示領域に表示させ、
前記視環境把握手段は、前記校正用画像の表示された被表示領域における視環境を把握し、
前記補正手段は、前記視環境情報と、前記画像特性とに基づき、前記ルックアップテーブルを補正することを特徴とする情報記憶媒体。
【請求項８】
請求項７において、
前記画像特性は、画像表示方式および画像種別の少なくとも一方に基づくものであることを特徴とする情報記憶媒体。
【請求項９】
請求項７、８のいずれかにおいて、
前記画像表示用情報は、色補正用ルックアップテーブルと、明るさ補正用ルックアップテーブルとを含み、
前記補正手段は、前記視環境情報と、前記画像特性とに基づき、前記色補正用ルックアップテーブルおよび前記明るさ補正用ルックアップテーブルを個別に補正することを特徴とする情報記憶媒体。